(57)【要約】      （修正有）【課題】気密容器内部の空気と外部の湿気との対流を防止することにより、気密容器内の空気を常に乾燥状態に維持することができる気体対流防止容器を提供する。【解決手段】気密容器と、空気調節装置２０とを有し、前記気密容器は、上部に開口が形成される容器１１と、該容器の開口を密閉する蓋部材１２とを備えるものであり、空気調節装置２０は、蓋部材１２の上面に嵌め込まれ、隔壁板と、該隔壁板に貫設される空気注入孔２１１４と、該隔壁板に貫設される排気孔２１１５と、該空気注入孔を密閉して気密となるように、前記空気注入孔に摺動可能に挿入される空気注入制御弁２２と、前記排気孔を密閉して気密となるように、前記排気孔に摺動可能に挿入される排気制御弁２３を備えることを特徴とする。【選択図】図３
0003153644.tif 000002
【実用新案登録請求の範囲】
【請求項１】
気密容器と、空気調節装置とを有し、
前記気密容器は、上部に開口が形成される容器と、該容器の開口を密閉すると共に、上面に嵌合孔が貫設される蓋部材とを備えるものであり、
前記空気調節装置は、バルブケースと、空気注入制御弁と、排気制御弁とを有し、
その内、バルブケースは、前記嵌合孔に嵌め込まれる本体と、該本体に形成される隔壁板と、該隔壁板に貫設される空気注入孔と、該隔壁板に貫設される排気孔とを有し、
前記空気注入制御弁は、前記空気注入孔に摺動可能に挿入され、その両端が夫々該空気注入孔の両側から突出する空気注入ロッドと、該空気注入孔を密閉して気密となるように、空気注入ロッドの下端に取り付けられる空気注入コックと、該空気注入ロッドの上端に設けられる空気注入ヘッドと、該空気注入ヘッド及び隔壁板に当接するように、前記空気注入ロッドに環装される空気注入ばねとを備え、
前記排気制御弁は、前記排気孔に摺動可能に挿入され、その両端が夫々排気孔の両側から突出する排気ロッドと、前記排気孔を密閉して気密となるように、該排気ロッドの上端に取り付けられる排気コックと、該排気ロッドの下端に設けられる排気ヘッドと、該排気ヘッド及び隔壁板に当接するように、該排気ロッドに環装される排気ばねとを備えることを特徴する気体対流防止容器。
【請求項２】
さらに、前記本体は、上部に凹設される第１凹部と、下部に凹設される第２凹部と、該第１凹部に被装され、第１通気孔が貫設される第１蓋部と、該第２凹部に被装され、第２通気孔が貫設される第２蓋部と、を有することを特徴とする請求項１項に記載の気体対流防止容器。
【請求項３】
前記バルブケースの上面と、前記蓋部材の上面とは、同一平面であることを特徴とする請求項２項に記載の気体対流防止容器。
【考案の詳細な説明】
【技術分野】
【０００１】
本考案は、特に気密容器内の空気と外部の湿気との対流を防ぐことにより、気密容器内部の空気を乾燥状態に維持する気体対流防止容器に関するものである。
【背景技術】
【０００２】
図６に示すように、従来の気体対流防止容器は、茶葉やコーヒー豆などを乾燥状態で収納するための、開口を有する容器（３０）と、該容器（３０）の開口を密閉すると共に、側部に通気孔（３１１）が貫設される蓋部材（３１）と、該蓋部材（３１）の通気状態を制御するための、該通気孔（３１１）に設けられる調節弁（３２）と、を有するものである。
【０００３】
その内、調節弁（３２）は、前記通気孔（３１１）に挿設される押しボタン（３２１）と、前記蓋部材（３１）の外部に位置すると共に、該押しボタン（３２１）及び蓋部材（３１）に当接するように、押しボタン（３２１）上に環装される通気ばね（３２２）と、該蓋部材（３１）の内部に位置すると共に、通気孔（３１１）を密閉するように、押しボタン（３２１）の一端に取り付けられる通気コック（３２３）と、を備える。
【０００４】
従来の気体対流防止容器は、このような構成であるから、前記容器（３０）の中の物を取るには、該容器（３０）内部の空気の対流を停止させるために、押しボタン（３２１）を押したままの状態で、蓋部材（３１）を容器（３０）の開口から外さなくてはならず、一方、容器（３０）を閉じる時にも、押しボタン（３２１）を押したままの状態で、蓋部材（３１）を容器（３０）の開口に被装しなければならないので、非常に不便であった。
【考案の概要】
【考案が解決しようとする課題】
【０００５】
上述したように、従来の気体対流防止容器は、蓋部材の着脱により容器を開閉する時、押しボタンが押されていないと、外部の湿気を含んだ空気が容器の内部に流入し、気密状態の容器内部の乾燥効果が保たれなくなってしまうことから、押しボタンを継続的に押圧する必要があるので、使用上、非常に不便であるといった問題があった。
【０００６】
そこで、案出されたのが本考案であって、蓋部材に設けられる空気調節装置により、蓋部材の内部と外部の空気を対流可能としつつ、容器内部の空気を対流不能にし、容器内部の乾燥状態を維持する気体対流防止容器を提供することを目的とする。
【課題を解決するための手段】
【０００７】
本願の請求項１の考案は、気密容器と、空気調節装置とを有し、前記気密容器は、上部に開口が形成される容器と、該容器の開口を密閉すると共に、上面に嵌合孔が貫設される蓋部材とを備えるものであり、
前記空気調節装置は、バルブケースと、空気注入制御弁と、排気制御弁とを有し、その内、バルブケースは、前記嵌合孔に嵌め込まれる本体と、該本体に形成される隔壁板と、該隔壁板に貫設される空気注入孔と、該隔壁板に貫設される排気孔とを有し、
前記空気注入制御弁は、前記空気注入孔に摺動可能に挿入され、その両端が夫々該空気注入孔の両側から突出する空気注入ロッドと、該空気注入孔を密閉して気密となるように、空気注入ロッドの下端に取り付けられる空気注入コックと、該空気注入ロッドの上端に設けられる空気注入ヘッドと、該空気注入ヘッド及び隔壁板に当接するように、前記空気注入ロッドに環装される空気注入ばねとを備え、
前記排気制御弁は、前記排気孔に摺動可能に挿入され、その両端が夫々排気孔の両側から突出する排気ロッドと、前記排気孔を密閉して気密となるように、該排気ロッドの上端に取り付けられる排気コックと、該排気ロッドの下端に設けられる排気ヘッドと、該排気ヘッド及び隔壁板に当接するように、該排気ロッドに環装される排気ばねとを備えることを特徴する気体対流防止容器、を提供する。
【０００８】
本願の請求項２の考案は、さらに、前記本体は、上部に凹設される第１凹部と、下部に凹設される第２凹部と、該第１凹部に被装され、第１通気孔が貫設される第１蓋部と、該第２凹部に被装され、第２通気孔が貫設される第２蓋部と、を有することを特徴とする請求項１項に記載の気体対流防止容器、を提供する。
【０００９】
本願の請求項３の考案は、前記バルブケースの上面と、前記蓋部材の上面とは、同一平面であることを特徴とする請求項２項に記載の気体対流防止容器、を提供する。
【考案の効果】
【００１０】
本考案は上記の課題を解決するものであり、蓋部材に設けられる空気調節装置により、気密容器の内部の空気と外部の湿気との対流を防ぐことかできるので、気密容器の内部の乾燥状態を常に維持させることができる。
【図面の簡単な説明】
【００１１】
【図１】本考案に係る気体対流防止容器の部分分解斜視図である。
【図２】本考案に係る気体対流防止容器におけるバルブケースの分解斜視図である。
【図３】本考案に係る気体対流防止容器におけるバルブケースの断面図である。
【図４】本考案に係る気体対流防止容器の使用状態を示す断面図である。
【図５】本考案に係る気体対流防止容器の使用状態を示す他の断面図である。
【図６】従来の気体対流防止容器の断面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る気体対流防止容器の部分分解斜視図であり、図２は本考案に係る気体対流防止容器におけるバルブケースの分解斜視図であり、図３は本考案に係る気体対流防止容器におけるバルブケースの断面図であり、図４は本考案に係る気体対流防止容器の使用状態を示す断面図であり、図５は本考案に係る気体対流防止容器の使用状態を示す他の断面図である。
【００１４】
図１及び図２に示すように、本考案に係る気体対流防止容器は、容器（１１）と、蓋部材（１２）とを有する気密容器（１０）と、空気調節装置（２０）とを備え、該容器（１１）は、内部に物を収納するために、上部に開口が形成されると共に、該開口の周縁に薄肉部（１１１）が凸設されるものである。
前記蓋部材（１２）は、前記薄肉部（１１１）に嵌め込まれて前記容器（１１）の開口を密閉すると共に、上面中央に嵌合孔（１２１）が貫設されるものである。尚、前記嵌合孔（１２１）は、蓋部材（１２）の上面周辺に貫設されてもよい。
【００１５】
前記空気調節装置（２０）は、前記嵌合孔（１２１）に設置され、バルブケース（２１）と、空気注入制御弁（２２）と、排気制御弁（２３）とを有し、その内、バルブケース（２１）は、直方体を呈する本体（２１１）と、該本体（２１１）の上面に凹設される第１凹部（２１１１）と、該本体（２１１）の下面に凹設される第２凹部（２１１２）と、該第１凹部（２１１１）と第２凹部（２１１２）との間に位置する組み付け隔壁板（２１１３）と、該組み付け板（２１１３）に貫設される空気注入孔（２１１４）と、該組み付け板（２１１３）に貫設される排気孔（２１１５）と、該第１凹部（２１１１）に被装されると共に、その上面が、蓋部材（１２）の上面と同一面上の第１蓋部（２１２）と、該第１蓋部（２１２）に貫設される第１通気孔（２１２１）と、該第２凹部（２１１２）に被装される第２蓋部（２１３）と、該第２蓋部（２１３）に貫設される第２通気孔（２１３１）とを備える。
また、前記空気注入制御弁（２２）は、前記バルブケース（２１）の空気注入孔（２１１４）に挿入されると共に、前記排気制御弁（２３）は、前記バルブケース（２１）の排気孔（２１１５）に挿入される。
【００１６】
図３に示すように、空気注入制御弁（２２）は、空気注入ロッド（２２１）と、空気注入コック（２２２）と、空気注入ヘッド（２２３）と、空気注入ばね（２２４）とを備え、その内、空気注入ロッド（２２１）は、空気注入孔（２１１４）に摺動可能に挿入され、その両端が夫々空気注入孔（２１１４）の両側から突出し、第２凹部（２１１２）側から突出する端に、空気注入孔（２１１４）を密閉して気密となるように、密接面を有する半球体の空気注入コック（２２２）が取り付けられる。
一方、前記空気注入ロッド（２２１）の他端には、前記第１凹部（２１１１）側に位置すると共に、円盤状の空気注入ヘッド（２２３）が設けられる。
また、前記空気注入ばね（２２４）は、第１凹部（２１１１）側において、前記空気注入ヘッド（２２３）と隔壁板（２１１３）に当接するように、前記空気注入ロッド（２２１）上に環装される。
【００１７】
前記排気制御弁（２３）は、排気孔（２１１５）に摺動可能に挿入され、その両端が夫々排気孔（２１１５）の両側から突出する排気ロッド（２３１）と、第１凹部（２１１１）側において該排気ロッド（２３１）の一端に取り付けられ、排気孔（２１１５）を密閉して気密とする、密接面を有する半球体の排気コック（２３２）と、第２凹部（２１１２）側において該排気ロッド（２３１）の他端に形成される円盤状の排気ヘッド（２３３）と、第２凹部（２１１２）側において該排気ヘッド（２３３）及び隔壁板（２１１３）に当接するように、該排気ロッド（２３１）に環装される排気ばね（２３４）とを備える。
【００１８】
図４に示すように、本考案の気体対流防止容器における蓋部材（１２）により容器（１１）の開口を密閉すると、該容器（１１）内の空気が、第２蓋部（２１３）の第２通気孔（２１３１）を介して、第２凹部（２１１２）に流れ込む。すると、第２凹部（２１１２）に流れ込む空気の圧力によって、排気制御弁（２３）における排気ロッド（２３１）及び排気ヘッド（２３３）が押し上げられ、排気コック（２３２）の密接面が排気孔（２１１５）から離れ、空気が第２凹部（２１１２）から第１凹部（２１１１）に流れ込み、その後、該第１凹部（２１１１）に流れ込んだ空気は、第１蓋部（２１２）の第１通孔（２１２１）を介して、蓋部材（１２）の外部に排出される。
【００１９】
一方、図５に示すように、本考案の気体対流防止容器における蓋部材（１２）を容器（１１）の開口から取り外し開放する時には、外部の空気が第１蓋部（２１２）の第１通気孔（２１２１）を介して第１凹部（２１１１）に流れ込む。すると、第１凹部（２１１１）に流れ込む空気の圧力によって、空気注入制御弁（２２）における空気注入ロッド及び空気注入ヘッド（２２３）が押し下げられ、空気注入コック（２２２）の密接面が空気注入孔（２１１４）から離れ、空気が第１凹部（２１１１）から第２凹部（２１１２）へ流れ込み、その後、第２蓋部（２１３）の第２通孔（２１３１）から容器（１０）の内部に流れ込む。
【産業上の利用可能性】
【００２０】
本考案は上記の構成を有するので、本考案に係る気体対流防止容器の蓋部材に設置される空気調節装置により、容器内部の空気と外部の湿気との対流を防止できるので、容器内部の乾燥状態を常に維持することができる。
【符号の説明】
【００２１】
１０  気密容器
１１  容器
１１１  薄肉部
１２  蓋部材
１２１  嵌合孔
２０  空気調節装置
２１  バルブケース
２１１  本体
２１１１  第１凹部
２１１２  第２凹部
２１１３  隔壁板
２１１４  空気注入孔
２１１５  排気孔
２１２  第１蓋部
２１２１  第１通気孔
２１３  第２蓋部
２１３１  第２通気孔
２２  空気注入制御弁
２２１  空気注入ロッド
２２２  空気注入コック
２２３  空気注入ヘッド
２２４  空気注入ばね
２３  排気制御弁
２３１  排気ロッド
２３２  排気コック
２３３  排気ヘッド
２３４  排気ばね
３０  容器
３１  蓋部材
３１１  通気孔
３２  調節弁
３２１  押しボタン
３２２  通気ばね
３２３  通気コック
【図１】
0003153644.tif 000003
【図２】
0003153644.tif 000004
【図３】
0003153644.tif 000005
【図４】
0003153644.tif 000006
【図５】
0003153644.tif 000007
【図６】
0003153644.tif 000008